(57)【要約】      （修正有）【課題】光触媒作用を発揮する皮製品及び皮製品を収納して光触媒効果を保管状態において発生させることのできる収納箱体を提供する。【解決手段】酸化チタンの微粉末を塗布剤に混練した塗布剤を塗布した皮製品、又は、光触媒効果のある酸化チタンの絞織網を織り込んで形成した皮製品を、収納する箱体６の内部に紫外線ランプを設置した。【選択図】図３
0003210771.tif 000002
【実用新案登録請求の範囲】
【請求項１】
靴やその他の皮製品そのものと及びこれ等に塗布してこれ等を保護・磨き上げて光触媒効果を有するものにするための靴墨や塗料等の塗布剤とを油汚れ分解・空気の浄化・水の浄化・土壌の浄化・消臭・殺菌・抗菌等の有機物の分解作用（光誘起分解反応）や外壁等の汚れ防止・鏡の雲の防止等の超親水性（光誘起親水反応）の効果や前記有機物の分解作用や前記超親水性の合体によるセルフクリーニング用の効果を有する等の光触媒効果を有する部材により形成及び該部材を通常の塗布剤に混練したものから形成することを特徴とする光触媒作用を有する靴や皮製品及び塗布剤。
【請求項２】
前記部材が酸化チタン（ＴｉＯ２）からなることを特徴とする請求項１に記載の光触媒作用を有する靴や皮製品及び塗布剤。
【請求項３】
前記靴や皮製品が前記酸化チタンの微細な絞織網を織り込んで形成されたものからなることを特徴とする請求項２に記載の光触媒作用を有する靴や皮製品及び塗布剤。
【請求項４】
前記靴や皮製品を保護・磨き上げて光触媒効果を有するものにする塗布剤が靴墨や塗料等の塗布剤に部材を混練するものからなり前記部材が前記酸化チタンの微粉末からなることを特徴とする請求項２に記載の光触媒作用を有する靴や皮製品及び塗布剤。
【請求項５】
前記光触媒作用を有する靴や皮製品が収納される所謂靴箱，棚等の箱体であって、前記箱体内には紫外線ランプが設置されるものからなることを特徴とする光触媒効果作成用の収納箱体。
【考案の詳細な説明】
【技術分野】
【０００１】  本考案は、例えば靴や皮製品そのものや通常の靴や皮製品を光触媒作用を有するもので形成するか及び靴や皮製品に塗布して光触媒作用を付加するための塗布剤や光触媒作用を有する靴や皮製品を収納して光触媒効果を保管状態で形成する収納箱体に関する。
【背景技術】
【０００２】  一般に外出用の靴等には着色・防水保護等のために黒色・茶・白地等からなる靴墨や塗布剤が使用されているがこれ等は外観美の向上や防水や皮革の乾燥防止のために使用されるものが殆どである。
これ等の機能を有する靴墨や塗布剤には各種のものがあるが、これ等に関する先行技術文献については出願人の調査には発見されない。また、後に説明する光触媒については各種の公知技術があるがこの光触媒を靴や皮製品に用いたものやこれ等に塗布して光触媒効果を与える公知技術については出願人の調査によると発見されない。
【考案の概要】
【考案が解決しようとする課題】
【０００３】  一般に存在している靴墨やこれに類する塗布剤としては前記のように主に皮革保護や防水や美観向上やほこり防止や着色等を目的としたものが殆どである。一方、皮靴等の皮製品には汗や埃が混入する恐れが多く細菌等の混入により臭気が発生し、身体にも悪影響を与える場合が多い。皮靴や皮製品は多種にわたり広く使用されているが以上の不具合を解決する手段としては各種のもの（例えば、靴の下敷や香水塗布，殺菌剤塗布）が存在はするが靴や皮製品そのものに前記のような不具合やその他のメリット的効果を設けているものは見当らない。【０００４】  本考案は以上の不具合事情を解決すべく考案したものであり、靴や皮製品に油水防止・まわりの空気の浄化・水の浄化・土壌の浄化・消臭・殺菌・抗菌等の有機物の分解効果や汚れ防止・曇防止等の超親水性効果やセルフクリーニング効果等の種々の効果を与えることが出来る製品や使用していなくてもこれ等の効果の発生を可能な箱体等の考案することを目的とするものである。この目的を達成する手段としては本考案以外のものも有るかも知れないが本考案の出願人は光触媒作用を有する酸化チタン（ＴｉＯ２）を使用することを考案し前記の悪い作用を除去するための考案を提供することを目的とした。
【課題を解決するための手段】
【０００５】  本考案は以上の目的を達成するために請求項１の考案は、靴やその他の皮製品そのものと及びこれ等に塗布してこれ等を保護・磨き上げて光触媒効果を有するものにするための靴墨や塗料等の塗布剤とを油汚れ分解・空気の浄化・水の浄化・土壌の浄化・消臭・殺菌・抗菌等の有機物の分解作用（光誘起分解反応）や外壁等の汚れ防止・鏡の雲の防止等の超親水性（光誘起親水反応）の効果や前記有機物の分解作用や前記超親水性の合体によるセルフクリーニング用の効果を有する等の光触媒効果を有する部材により形成及び該部材を通常の塗布剤に混練したものから形成することを特徴とする。【０００６】  また、請求項２の考案は、前記部材が酸化チタン（ＴｉＯ２）からなることを特徴とする。【０００７】  また、請求項３の考案は、前記靴や皮製品が前記酸化チタンの微細な絞織網を織り込んで形成されたものからなることを特徴とする。【０００８】  また、請求項４の考案は、前記靴や皮製品を保護・磨き上げて光触媒効果を有するものにする塗布剤が靴墨や塗料等の塗布剤に部材を混練するものからなり前記部材が前記酸化チタンの微粉末からなることを特徴とする。【０００９】  また、請求項５の考案は、前記光触媒作用を有する靴や皮製品が収納される所謂靴箱，棚等の箱体であって、前記箱体内には紫外線ランプが設置されるものからなることを特徴とする。
【考案の効果】
【００１０】  請求項１の光触媒作用を有する靴や皮製品及び塗布剤によれば、光誘起分解反応や光誘起親水反応のある部材やこの部材を混練している塗布剤を用いる事により靴やその他の皮製品が光触媒作用を有するものとなり、外出時等において太陽光等をあびることにより太陽紫外線による光触媒効果を確実に、外出毎にかつ自動的に発揮する事が出来、従来にない素晴らしい効果を発揮する事が出来、高品質，高価格性を保持出来る可能性が生じ、かつ販売効果も上げることが出来る。【００１１】  また、請求項２の光触媒作用を有する靴や皮製品及び塗布剤によれば、部材が一般に手に入り易い酸化チタン（ＴｉＯ２）よりなり、前記効果を確実に発揮する事が出来る。【００１２】  また、請求項３の光触媒作用を有する靴や皮製品及び塗布剤によれば、靴や皮製品そのものに光触媒効果をもたせる事が出来、手間もかからず太陽光等の照射により紫外線により光触媒効果を上げる事が出来特別に紫外線設備を用いなくても極めて便利である。また、製作も容易に出来る。【００１３】  また、請求項４の光触媒作用を有する靴や皮製品及び塗布剤によれば、靴墨や塗布剤に酸化チタンの微粉末を混練してなる塗布剤を用いて靴や皮製品を磨き上げる事により光触媒効果のある靴や皮製品を簡単に作り上げる事が出来る。また、この塗布剤の製作も容易に出来る。【００１４】  また、請求項５の光触媒効果作成用の収納箱体によれば、本考案を適用する事により外出しなくても光触媒効果のある靴や皮製品を自宅等において保管中に形成する事が出来る。従って、雨天においても夜間においても光触媒効果を保持する事が可能になる。
【図面の簡単な説明】
【００１５】
【図１】光触媒効果のある靴や皮製品の製作過程を示すブロック図。
【図２】光触媒効果のある靴墨や塗布剤の製作過程を示すブロック図。
【図３】光触媒効果のある靴や皮製品を自宅等において作成するための箱体の概要構造を示す模式図。
【考案を実施するための形態】
【００１６】  以下、本考案の光触媒作用を有する靴や皮製品及び塗布剤や光触媒効果作成用の収納箱体の実施の形態を図面を参照して詳述する。
【実施例１】
【００１７】  図１に示すように靴やその他の皮製品を光触媒作用のある酸化チタンの絞織網を用いて製作する事により通常の靴や皮製品ではなく光触媒効果を有する靴やその他の皮製品を作成する事が出来る。この作業は通常の製作方法を用いる事によって確実に行う事が可能である。
【実施例２】
【００１８】  図２に示すように光触媒作用を有する酸化チタンを用いてこれを微粉末としてこの微粉末を通常の靴墨や塗料に混練することにより光触媒効果のある塗布剤を作用することが出来、図２はその過程を示すものであり、この塗布剤を用いて靴や皮製品を磨き上げることにより光触媒効果のある靴や皮製品を作り上げる効果が出来る。
【実施例３】
【００１９】  光触媒効果には太陽光の照射が必要であるが、雨天の場合もある。このため自宅等によって光触媒効果を発揮出来る靴や皮製品を靴箱や棚等の箱体内に収納し、この箱体内に紫外線ランプを設置することにより光触媒効果のある靴や皮製品を箱体内で作成する事が出来、雨天等においても又夜間の収納中においても光触媒効果のある靴や皮製品を使用することが出来る。【００２０】  本考案は以上の説明の内容からなるが、その内容は以上の説明に限定するものではなく、一般的技術的範疇のものが適用される事は勿論である。
【産業上の利用可能性】
【００２１】  日常的に靴や皮製品は生活必需品であり、特に靴は防臭，消臭，防菌，セルフクリーニング等が必須不可欠であり、靴に適用可能で利用範囲は極めて広い。更に皮製品には各種のものがあり、これ等にも本考案は適用可能であり、その適用範囲は極めて広い。
【符号の説明】
【００２２】１    靴
１ａ  光触媒効果を有する靴
２    皮製品
２ａ  光触媒効果を有する皮製品
３    靴墨
３ａ  光触媒効果を有する靴墨
４    塗布剤
４ａ  光触媒効果を有する塗布剤
５    紫外線ランプ
６    収納箱体
【図１】
0003210771.tif 000003
【図２】
0003210771.tif 000004
【図３】
0003210771.tif 000005
【手続補正書】
【提出日】平成28年9月2日(2016.9.2)
【手続補正１】
【補正対象書類名】実用新案登録請求の範囲
【補正対象項目名】請求項１
【補正方法】変更
【補正の内容】
【請求項１】
靴やその他の皮製品そのものと及びこれ等に塗布してこれ等を保護・磨き上げて光触媒効果を有するものにするための靴墨や塗料等の塗布剤とを油汚れ分解・空気の浄化・水の浄化・土壌の浄化・消臭・殺菌・抗菌等の有機物の分解作用（光誘起分解反応）や外壁等の汚れ防止・鏡の曇りの防止等の超親水性（光誘起親水反応）の効果や前記有機物の分解作用や前記超親水性の合体によるセルフクリーニング用の効果を有する等の光触媒効果を有する部材により形成及び該部材を通常の塗布剤に混練したものから形成することを特徴とする光触媒作用を有する靴や皮製品及び塗布剤。
【手続補正２】
【補正対象書類名】明細書
【補正対象項目名】０００５
【補正方法】変更
【補正の内容】
【０００５】  本考案は以上の目的を達成するために請求項１の考案は、靴やその他の皮製品そのものと及びこれ等に塗布してこれ等を保護・磨き上げて光触媒効果を有するものにするための靴墨や塗料等の塗布剤とを油汚れ分解・空気の浄化・水の浄化・土壌の浄化・消臭・殺菌・抗菌等の有機物の分解作用（光誘起分解反応）や外壁等の汚れ防止・鏡の曇りの防止等の超親水性（光誘起親水反応）の効果や前記有機物の分解作用や前記超親水性の合体によるセルフクリーニング用の効果を有する等の光触媒効果を有する部材により形成及び該部材を通常の塗布剤に混練したものから形成することを特徴とする。
【手続補正書】
【提出日】平成28年12月2日(2016.12.2)
【手続補正１】
【補正対象書類名】実用新案登録請求の範囲
【補正対象項目名】全文
【補正方法】変更
【補正の内容】
【実用新案登録請求の範囲】
【請求項１】
油汚れ分解・空気の浄化・水の浄化・土壌の浄化・消臭・殺菌・抗菌等の有機物の分解作用や外壁等の汚れ防止・鏡の曇りの防止等の超親水性の効果や前記有機物の分解作用や前記超親水性の合体によるセルフクリーニング用の効果を有すべく靴墨や塗料に光触媒の微粉末を混練してなる塗布剤を塗布してなることを特徴とする皮製品。
【請求項２】
油汚れ分解・空気の浄化・水の浄化・土壌の浄化・消臭・殺菌・抗菌等の有機物の分解作用や外壁等の汚れ防止・鏡の曇りの防止等の超親水性の効果や前記有機物の分解作用や前記超親水性の合体によるセルフクリーニング用の効果を有する光触媒効果のある部材の絞織網を織り込んで形成されることを特徴とする皮製品。
【請求項３】
前記部材が酸化チタン（ＴｉＯ２）からなることを特徴とする請求項２に記載の皮製品。
【請求項４】
前記塗布剤を塗布した皮製品及び前記部材の絞織網を織り込んでなる皮製品を収納する箱体であって該箱体の内部には紫外線ランプが設置されるものからなることを特徴とする光触媒効果作成用の収納箱体。
【手続補正２】
【補正対象書類名】明細書
【補正対象項目名】全文
【補正方法】変更
【補正の内容】
【考案の詳細な説明】
【技術分野】
【０００１】  光触媒作用を発揮する皮製品やこれ等の皮製品を収納して光触媒効果を保管状態にて発生させるための収納箱体に関する。
【背景技術】
【０００２】  一般に皮製品（例えば、靴）には着色や防水保護のために黒色や茶や白地等の塗布剤（例えば、靴墨）が使用されているがこれ等は外観美の向上や防水や乾燥防止等のために使用されているものが殆どである。これ等の機能を有する塗布剤としては各種のものがあるがこれに関する先行文献は出願人の調査では発見されない。また、後に説明する本考案のように光触媒作用を有するように形成される皮製品についてはこれ等の皮製品を在宅で収納する箱体についても先行技術は出願人の調査によると発見されない。
【考案の概要】
【考案が解決しようとする課題】
【０００３】  前記のように従来の皮製品例えば、靴等については皮革保護や防水や美観向上や埃付着防止等を目的とするものである。
一方、皮製品には汗や埃が混入する恐れが多く細菌等の混入により臭気が発生すると共に身体にも悪影響を与える場合が多い。
皮製品は多種にわたり広く使用されているが、以上の不具合を解消する手段として各種のもの（例えば、靴の下敷や香水や殺菌剤）等が存在するが皮製品そのものに前記の不具合の解消やその他のメリット的効果を設けているものは見当らない。【０００４】  本考案は以上の不具合を解決すべく考案したものであり、皮製品に油水防止・まわりの空気の浄化・水の浄化・土壌の浄化・消臭・殺菌・抗菌等の有機物の分解効果や汚れ防止・曇リ防止等やセルフクリーニング効果等の種々の効果を有する皮製品やこれ等を在宅で収納して効果を発揮させるようにした収納箱体を提供することを目的とする。
【課題を解決するための手段】
【０００５】  本考案は、以上の目的を達成するために請求項１の考案は、油汚れ分解・空気の浄化・水の浄化・土壌の浄化・消臭・殺菌・抗菌等の有機物の分解作用や外壁等の汚れ防止・鏡の曇りの防止等の超親水性の効果や前記有機物の分解作用や前記超親水性の合体によるセルフクリーニング用の効果を有すべく靴墨や塗料に光触媒の微粉末を混練してなる塗布剤を塗布してなることを特徴とする。【０００６】  また、請求項２の考案は、油汚れ分解・空気の浄化・水の浄化・土壌の浄化・消臭・殺菌・抗菌等の有機物の分解作用や外壁等の汚れ防止・鏡の曇りの防止等の超親水性の効果や前記有機物の分解作用や前記超親水性の合体によるセルフクリーニング用の効果を有する光触媒効果のある部材の絞織網を織り込んで形成されることを特徴とする。【０００７】  また、請求項３の考案は、前記部材が酸化チタン（ＴｉＯ２）からなることを特徴とする。【０００８】  また、請求項４の考案は、前記塗布剤を塗布した皮製品及び前記部材の絞織網を織り込んでなる皮製品を収納する箱体であって該箱体の内部には紫外線ランプが設置されるものからなることを特徴とする。
【考案の効果】
【０００９】  請求項１の皮製品によれば、通常の靴等の皮製品に光触媒の微粉末を靴墨や塗料に混練してなる塗布剤を塗布する事によりその皮製品は光触媒効果を有するものとなり、その皮製品を身につけて外を歩くだけで光触媒作用が発揮されて種々の貢献が可能になる。【００１０】  また、請求項２の皮製品はそれ自体として光触媒効果を有するもので着手するだけで光触媒作用を発揮出来るものになる。【００１１】  請求項３の皮製品によれば光触媒効果のある部材が具体的に示され、前記の皮製品の光触媒効果の実効性が明確となる。【００１２】  また、請求項４の収納箱体によれば外部に出なくても在宅にも光触媒効果のある皮製品を作る事が出来る。
【図面の簡単な説明】
【００１３】
【図１】光触媒効果のある塗布剤を通常の皮製品に塗布して光触媒効果のある皮製品を製作する過程を示すブロック図。
【図２】それ自体として光触媒効果のある皮製品の製作過程を示すブロック図。
【図３】在宅にて光触媒効果のある皮製品を作成するための箱体の概要構造を示す模式図。
【考案を実施するための形態】
【００１４】  以下、本考案の皮製品や収納箱体についての実施の形態を図面等を参照して詳述する。
【実施例１】
【００１５】  図１に示すように、光触媒作用を有する酸化チタンの微粉末を通常の靴墨や塗料に混練して塗布剤を作成し、この塗布剤を通常の皮製品に塗布する事により光触媒作用のある皮製品を作る事が出来る。
【実施例２】
【００１６】  図２に示すように、光触媒作用のある酸化チタンの絞織網によって皮製品を作る事により光触媒効果のある皮製品を作る事が出来る。
【実施例３】
【００１７】  光触媒効果には太陽光の照射が必要であるが、雨天の場合もある。このため自宅等によって光触媒効果を発揮出来る皮製品を靴箱や棚等の箱体内に収納し、この箱体内に紫外線ランプを設置することにより光触媒効果のある皮製品を箱体内で作成する事が出来、雨天等においても又夜間の収納中においても光触媒効果のある靴や皮製品を使用することが出来る。【００１８】  本考案は以上の説明の内容からなるが、その内容は以上の説明に限定するものではなく、一般的技術的範疇のものが適用される事は勿論である。
【産業上の利用可能性】
【００１９】  日常的に靴や皮製品は生活必需品であり、特に靴は防臭，消臭，防菌，セルフクリーニング等が必須不可欠であり、靴に適用可能で利用範囲は極めて広い。更に皮製品には各種のものがあり、これ等にも本考案は適用可能であり、その適用範囲は極めて広い。
【符号の説明】
【００２０】  １  光触媒効果のある塗布剤を塗布して形成される皮製品
２  光触媒効果のある酸化チタンの絞織網を折り込んで作成される皮製品
３  収納箱体
４  紫外線ランプ
【手続補正３】
【補正対象書類名】図面
【補正対象項目名】全図
【補正方法】変更
【補正の内容】
【図１】
0003210771.tif 000006
【図２】
0003210771.tif 000007
【図３】
0003210771.tif 000008
【手続補正書】
【提出日】平成29年3月8日(2017.3.8)
【手続補正１】
【補正対象書類名】実用新案登録請求の範囲
【補正対象項目名】全文
【補正方法】変更
【補正の内容】
【実用新案登録請求の範囲】
【請求項１】
靴墨や塗料に光触媒の微粉末を混練し油汚れ分解・空気の浄化・水の浄化・消臭・殺菌・抗菌等の有機物の分解作用や外壁等の汚れ防止・鏡の曇りの防止等の超親水性の効果や前記有機物の分解作用やセルフクリーニング用の効果等を有するべく形成される塗布剤を塗布してなることを特徴とする皮製品。
【請求項２】
油汚れ分解・空気の浄化・水の浄化・消臭・殺菌・抗菌等の有機物の分解作用や外壁等の汚れ防止・鏡の曇りの防止等の超親水性の効果や前記有機物の分解作用やセルフクリーニング用の効果等を有する光触媒効果のある部材の絞繊網を織り込んで形成されることを特徴とする皮製品。
【請求項３】
前記部材が酸化チタン（ＴｉＯ２）からなることを特徴とする請求項２に記載の皮製品。
【請求項４】
前記請求項１に記載の塗布剤を塗布してなる皮製品や前記請求項２に記載の部材の絞織網を織り込んでなる皮製品を収納する箱体であって、前記箱体の内部には紫外線ランプが設置されるものからなることを特徴とする光触媒効果作成用の収納箱体。
【手続補正２】
【補正対象書類名】明細書
【補正対象項目名】全文
【補正方法】変更
【補正の内容】
【考案の詳細な説明】
【技術分野】
【０００１】  本考案は、光触媒作用を発揮する皮製品や前記皮製品を収納して光触媒効果を保管状態において発生させることの出来る収納箱体に関する。
【背景技術】
【０００２】  一般に皮製品（例えば、靴）には着色や防水保護のために黒色や茶や白地等の塗布剤（例えば、靴墨）が使用されているがこれ等は外観美の向上や防水や乾燥防止等のために使用されているものが殆どである。これ等の機能を有する塗布剤としては各種のものがあるが光触媒作用を有する皮製品に関する先行文献は出願人の調査では発見されない。また、後に説明する本考案のように光触媒作用を有するように在宅で皮製品を形成する箱体についても先行技術は出願人の調査によると発見されない。
【考案の概要】
【考案が解決しようとする課題】
【０００３】  前記のように従来の皮製品例えば、靴等については皮革保護や防水や美観向上や埃付着防止等を目的とするものである。
一方、皮製品には汗や埃が混入する恐れが多く細菌等の混入により臭気が発生すると共に身体にも悪影響を与える場合が多い。
皮製品は多種にわたり広く使用されているが、以上の不具合を解消する手段として各種のもの（例えば、靴の下敷や香水や殺菌剤）等が存在するが皮製品そのものに前記の不具合の解消やその他のメリット的効果を設けてるものは見当らない。【０００４】  本考案は以上の不具合を解決すべく考案したものであり、皮製品に油水防止・まわりの空気の浄化・水の浄化・土壌の浄化・消臭・殺菌・抗菌等の有機物の分解効果や汚れ防止・曇リ防止等やセルフクリーニング効果等の種々の効果を有する塗布剤を塗布した皮製品や光触媒効果のある部材を織り込んでなる皮製品やこれ等を在宅で収納して前記効果を発揮させるようにした収納箱体を提供することを目的とする。
【課題を解決するための手段】
【０００５】  本考案は、以上の目的を達成するために請求項１の考案は、靴墨や塗料に光触媒の微粉末を混練し油汚れ分解・空気の浄化・水の浄化・消臭・殺菌・抗菌等の有機物の分解作用や外壁等の汚れ防止・鏡の曇りの防止等の超親水性の効果や前記有機物の分解作用やセルフクリーニング用の効果等を有するべく形成される塗布剤を塗布してなることを特徴とする。【０００６】  また、請求項２の考案は、油汚れ分解・空気の浄化・水の浄化・消臭・殺菌・抗菌等の有機物の分解作用や外壁等の汚れ防止・鏡の曇りの防止等の超親水性の効果や前記有機物の分解作用やセルフクリーニング用の効果等を有する光触媒効果のある部材の絞繊網を織り込んで形成されることを特徴とする。【０００７】  また、請求項３の考案は、前記部材が酸化チタン（ＴｉＯ２）からなることを特徴とする。【０００８】  また、請求項４の考案は、前記請求項１に記載の塗布剤を塗布してなる皮製品や前記請求項２に記載の部材の絞織網を織り込んでなる皮製品を収納する箱体であって、前記箱体の内部には紫外線ランプが設置されるものからなることを特徴とする。
【考案の効果】
【０００９】  請求項１の皮製品によれば、通常の靴等の皮製品に光触媒の微粉末を靴墨や塗料に混練してなる塗布剤を塗布する事によりその皮製品は光触媒効果を有するものとなり、その皮製品を身につけて外を歩くだけで光触媒作用が発揮されて種々の貢献が可能になる。【００１０】  また、請求項２の皮製品はそれ自体として光触媒効果を有するもので着手するだけで光触媒作用を発揮出来るものになる。【００１１】  請求項３の皮製品によれば、光触媒効果のある部材が具体的に示され、前記の皮製品の光触媒効果の実効性が明確となる。【００１２】  また、請求項４の収納箱体によれば、外部に出なくても在宅にも光触媒効果のある皮製品を作る事が出来る。
【図面の簡単な説明】
【００１３】
【図１】光触媒効果のある塗布剤を通常の皮製品に塗布して光触媒効果のある皮製品を製作する過程を示すブロック図。
【図２】それ自体として光触媒効果のある皮製品の製作過程を示すブロック図。
【図３】在宅にて光触媒効果のある皮製品を作成するための箱体の概要構造を示す模式図。
【考案を実施するための形態】
【００１４】  以下、本考案の皮製品や収納箱体についての実施の形態を図面等を参照して詳述する。
【実施例１】
【００１５】  図１に示すように、光触媒作用を有する酸化チタンの微粉末を通常の靴墨や塗料に混練して塗布剤を作成し、この塗布剤を通常の皮製品に塗布する事により光触媒作用のある皮製品１を作る事が出来る。
【実施例２】
【００１６】  図２に示すように、光触媒作用のある酸化チタンの絞織網によって皮製品を作る事により光触媒効果のある皮製品２を作る事が出来る。
【実施例３】
【００１７】  光触媒効果には太陽光の照射が必要であるが、雨天の場合もある。このため自宅等によって光触媒効果を発揮出来る皮製品を靴箱や棚等の収納箱体３内に収納し、この収納箱体３内に紫外線ランプ４を設置することにより光触媒効果のある皮製品１，２を収納箱体３内で作成する事が出来、雨天等においても又夜間の収納中においても光触媒効果のある靴や皮製品を使用することが出来る。【００１８】  本考案は以上の説明の内容からなるが、その内容は以上の説明に限定するものではなく、一般的技術的範疇のものが適用される事は勿論である。
【産業上の利用可能性】
【００１９】  日常的に靴や皮製品は生活必需品であり、特に靴は防臭，消臭，防菌，セルフクリーニング等が必須不可欠であり、靴に適用可能で利用範囲は極めて広い。更に皮製品には各種のものがあり、これ等にも本考案は適用可能であり、その適用範囲は極めて広い。
【符号の説明】
【００２０】  １  光触媒効果のある塗布剤を塗布して形成される皮製品
２  光触媒効果のある酸化チタンの絞織網を折り込んで作成される皮製品
３  収納箱体
４  紫外線ランプ